(57)【要約】
【課題】タクシーに乗る前には初乗運賃を確認でき、乗った後は詳細な運賃表を確認できるタクシー用ステッカーの提供。
【解決手段】タクシー用ステッカーＡは、遮光性の合成紙１の表面１１に初乗運賃１２を白色素地に黒で印刷し、裏面１３に詳細な運賃表１４を黄地に黒で印刷し、表面１１に透明の粘着剤２を塗布形成し、その粘着面を剥離紙３で被覆してなる。そして、剥離紙３を剥離して、タクシーの後部座席のサイドガラス（三角ガラスも含む）やリアガラスの内側に貼着することにより、タクシー待ちの客がタクシーに乗る前にそのタクシーの初乗運賃を確認できる。また、タクシーに乗った後は詳細な運賃表を乗客が確認できる。
【選択図】図１
0003101346.tif 000002
【実用新案登録請求の範囲】
【請求項１】
遮光性のシートの表面に客呼び込み用案内情報を印刷し、裏面に店内客用の広告情報を印刷し、
前記表面に透明の粘着剤を塗布形成し、その粘着面を剥離紙で被覆してなり、
前記剥離紙を剥離して、店舗のショーウィンドウーや入口のガラスドアの内側に貼着可能にしたことを特徴とする店舗用ステッカー。
【請求項２】
遮光性のシートの表面に企業広告を印刷し、裏面に別の企業広告を印刷し、前記表面に透明の粘着剤を塗布形成し、その粘着面を剥離紙で被覆してなり、
前記剥離紙を剥離して、乗物の窓ガラスやガラスドアの内側に貼着可能にしたことを特徴とする乗物用ステッカー。
【請求項３】
遮光性のシートの表面に企業広告を印刷し、裏面に広告代金の支払いに関する条件を印刷し、
前記表面に透明の粘着剤を塗布形成し、その粘着面を剥離紙で被覆してなり、
前記剥離紙を剥離して、自動車の側面ガラスや背面ガラスの内側に貼着可能にしたことを特徴とする自動車用ステッカー。
【請求項４】
遮光性のシートの表面に初乗運賃を印刷し、裏面に詳細な運賃表を印刷し、
前記表面に透明の粘着剤を塗布形成し、その粘着面を剥離紙で被覆してなり、
前記剥離紙を剥離して、タクシーの側面ガラスや背面ガラスの内側に貼着可能にしたことを特徴とするタクシー用ステッカー。
【請求項５】
遮光性のシートの表面に初乗運賃を白地に黒で印刷し、裏面に詳細な運賃表を黄地に黒で印刷し、
前記表面に透明の粘着剤を塗布形成し、その粘着面を剥離紙で被覆してなり、
前記剥離紙を剥離して、タクシーの側面ガラスや背面ガラスの内側に貼着可能にしたことを特徴とするタクシー用ステッカー。
【考案の詳細な説明】
【技術分野】
【０００１】
本考案は、ガラスに貼るステッカーに関する。
【背景技術】
【０００２】
特許文献１には、自動車のガラス面に貼り付ける表示ラベルが開示されている。
【特許文献１】特開２０００−２９４１６公報  （第２頁、図１、図２）
【考案の開示】
【考案が解決しようとする課題】
【０００３】
特許文献１の表示ラベルは、通行人に対しては目的を果たすが、室内の乗員からの視点では、裏返しの文字が透けて見えるか、視界が遮られるので非常に見苦しい。
【０００４】
本考案の第１の目的は、店舗の外にいる客からは客呼び込み用案内情報が見え、店内の客からは店内客用の広告情報が見える、見栄えが良い店舗用ステッカーの提供にある。
【０００５】
本考案の第２の目的は、乗物の外にいる人からは企業広告が見え、乗物に乗っている人からは別の企業広告が見える、見栄えが良く、広告の貼着効率が高い乗物用ステッカーの提供にある。
【０００６】
本考案の第３の目的は、他車や通行人に企業広告を見せることができ、自動車に乗っている人には広告代金の支払いに関する条件を周知徹底でき、契約者に広告貼着義務を確実に履行させることができる自動車用ステッカーの提供にある。
【０００７】
本考案の第４の目的は、タクシーに乗る前に初乗運賃を確認でき、乗った後は詳細な運賃表を確認できるタクシー用ステッカーの提供にある。
【課題を解決するための手段】
【０００８】
〔請求項１〕
店舗用ステッカーは、遮光性のシートの表面に客呼び込み用案内情報を印刷し、裏面に店内客用の広告情報を印刷し、前記表面に透明の粘着剤を塗布形成し、その粘着面を剥離紙で被覆してなり、前記剥離紙を剥離して、店舗のショーウィンドウーや入口のガラスドアの内側に貼着可能にしたことを特徴とする。
〔請求項２〕
乗物用ステッカーは、遮光性のシートの表面に企業広告を印刷し、裏面に別の企業広告を印刷し、前記表面に透明の粘着剤を塗布形成し、その粘着面を剥離紙で被覆してなり、前記剥離紙を剥離して、乗物の窓ガラスやガラスドアの内側に貼着可能にしたことを特徴とする。
〔請求項３〕
自動車用ステッカーは、遮光性のシートの表面に企業広告を印刷し、裏面に広告代金の支払いに関する条件を印刷し、前記表面に透明の粘着剤を塗布形成し、その粘着面を剥離紙で被覆してなり、前記剥離紙を剥離して、自動車の側面ガラスや背面ガラスの内側に貼着可能にしたことを特徴とする。
〔請求項４〕
タクシー用ステッカーは、遮光性のシートの表面に初乗運賃を印刷し、裏面に詳細な運賃表を印刷し、前記表面に透明の粘着剤を塗布形成し、その粘着面を剥離紙で被覆してなり、前記剥離紙を剥離して、タクシーの側面ガラスや背面ガラスの内側に貼着可能にしたことを特徴とする。
〔請求項５〕
タクシー用ステッカーは、遮光性のシートの表面に初乗運賃を白地に黒で印刷し、裏面に詳細な運賃表を黄地に黒で印刷し、前記表面に透明の粘着剤を塗布形成し、その粘着面を剥離紙で被覆してなり、前記剥離紙を剥離して、タクシーの側面ガラスや背面ガラスの内側に貼着可能にしたことを特徴とする。
【考案の効果】
【０００９】
〔請求項１〕
店舗用ステッカーは、遮光性のシートの表面に客呼び込み用案内情報が印刷され、裏面に店内客用の広告情報が印刷されている。そして、シートの表面に透明の粘着剤を塗布形成後、その粘着面を剥離紙で被覆している。
【００１０】
使用する場合には、シートの表面から剥離紙を剥離し、店舗のショーウィンドウーの内側や、店舗入口のガラスドアの内側に貼着する。
【００１１】
店舗のショーウィンドウーの内側や店舗入口のガラスドアの内側に店舗用ステッカーを貼着すると、店舗の外にいる客からは客呼び込み用案内情報が見え、店内の客からは店内客用の広告情報が見えるので、案内効果や広告効果が高いとともに、見栄えが良い。
〔請求項２〕
乗物用ステッカーは、遮光性のシートの表面に企業広告が印刷され、裏面に別の企業広告が印刷されている。そして、シートの表面に透明の粘着剤を塗布形成後、その粘着面を剥離紙で被覆している。
【００１２】
使用する場合には、シートの表面から剥離紙を剥離し、乗物の窓ガラスの内側やガラスドアの内側に貼着する。
【００１３】
乗物の窓ガラスの内側やガラスドアの内側に乗物用ステッカーを貼着すると、乗物の外にいる人からは企業広告が見え、乗物に乗っている人からは別の企業広告が見えるので、広告の貼着効率が高いとともに、見栄えが良い。
〔請求項３〕
自動車用ステッカーは、遮光性のシートの表面に企業広告が印刷され、裏面に広告代金の支払いに関する条件が印刷されている。そして、シートの表面に透明の粘着剤を塗布形成後、その粘着面を剥離紙で被覆している。
【００１４】
使用する場合には、シートの表面から剥離紙を剥離し、自動車の側面ガラスの内側や背面ガラスの内側に貼着する。
【００１５】
自動車の側面ガラスの内側や背面ガラスの内側に自動車用ステッカーを貼着すると、他車や通行人に企業広告を見せることができるので広告効果がある。
【００１６】
また、広告の広告代金の支払いに関する条件が、常に、自動車に乗っている契約者の目にとまるので、広告代金の支払いに関する条件を周知徹底でき、契約者に広告貼着義務を確実に履行させることができる。
〔請求項４〕
タクシーの側面ガラス（三角ガラスも含む）の内側や背面ガラスの内側にタクシー用ステッカーを貼着すると、タクシー待ちの客がタクシーに乗る前にそのタクシーの初乗運賃を確認できる。また、タクシーに乗った後は詳細な運賃表を乗客が確認できる。
【００１７】
このため、現在の料金体系や目的地までの料金の概算が分かるので便利であるとともに、見栄えが良い。
〔請求項５〕
タクシーの側面ガラス（三角ガラスも含む）の内側や背面ガラスの内側にタクシー用ステッカーを貼着すると、タクシー待ちの客がタクシーに乗る前にそのタクシーの初乗運賃を容易に確認できる。また、タクシーに乗った後は詳細な運賃表を乗客が確実に確認できる。なお、遮光性のシートの表面に初乗運賃を白地に黒で印刷し、裏面に詳細な運賃表を黄地に黒で印刷しているので、目につき易く、見落としが防止できる。
【００１８】
このため、現在の料金体系や目的地までの料金の概算が分かるので便利であるとともに、見栄えが良い。
【考案を実施するための最良の形態】
【００１９】
タクシー用ステッカーは、遮光性のシートの表面に初乗運賃を印刷し、裏面に詳細な運賃表を印刷し、表面に透明の粘着剤を塗布形成し、その粘着面を剥離紙で被覆してなり、剥離紙を剥離して、リアサイドガラス、三角ガラス、およびリアガラスに貼着する。
【００２０】
これにより、客は、タクシーに乗る前に初乗運賃を確認でき、乗った後は詳細な運賃表を確認できる。
【実施例１】
【００２１】
本発明の実施例１に係るタクシー用ステッカーＡ（請求項４、５に対応）を、図１〜図３に基づいて説明する。
【００２２】
図１および図２に示す如く、タクシー用ステッカーＡは、合成紙１の表面１１に初乗運賃１２が印刷され、裏面１３に詳細な運賃表１４が印刷されている。
【００２３】
更に、合成紙１の表面１１に、粘着剤２を塗布形成し、その粘着面を剥離紙３で被覆している。なお、運賃表１４を印刷後に裏面１３を透明樹脂（図示せず）でラミネートコーティングしている。
【００２４】
合成紙１は、可撓性が高い紙と耐水性および耐久性に優れたプラスチックの長所を兼ね備えている。この合成紙１は、ポリプロピレンを主成分とし、二軸延伸フィルム成形法により製造される。なお、成膜時に多数のミクロボイドが形成されるので、光が乱反射して素地が白色（遮光性）に見える。
【００２５】
なお、本実施例では、合成紙１は、重量が数グラム、厚みが０．２ｍｍ、縦が９ｃｍ、横が１３．５ｃｍの大きさを呈する。
【００２６】
また、合成紙１の裏面１３は黄色の蛍光色に塗色されている。
【００２７】
初乗運賃１２は、本実施例では、１．５ｋｍ  ６３０円の記述であり、白色の素地に、黒の活字で印刷されている。
【００２８】
運賃表１４は、本実施例では、以下の文面を黒の活字で記載している。
【００２９】
運  賃  表    （中  型  車）
◎  距離制運賃        初乗運賃      １．５ｋｍまで                  ６３０円
加算運賃        ２７１ｍまでごとに              ８０円
◎  時間距離併用運賃  時速１０ｋｍ以下となった場合
１分４０秒までごとに                            ８０円
◎  時間制運賃        ３０分までごとに                          ２，９６０円
◎  待料金            １分４０秒までごとに                            ８０円
◎  迎車回送料金      １両１回ごとに                                １１０円
◎  早期予約料金      １両１回ごとに                                ４１０円
〔前日までに、午前４時から８時までの間の運送を予約された
場合に適用します。〕
◎  深夜・早朝割増    ２２時から翌朝５時まで                          ２割増
◎  障害者割引                                                        １割引
〔身体障害者手帳又は精神薄弱者療育手帳を提示され、ご自身が    
乗車された区間又は時間に適用します。〕
◎遠距離割引                                                          １割引
〔運賃メーター表示額が９，０００円を超えた運送の場合、
９，０００円を超える金額について適用します。〕
粘着剤２は、アクリル系の透明粘着材であり、初乗運賃１２の印刷後に、合成紙１の表面１１にシルク印刷により塗布形成されている。なお、粘着剤２は、ゴム系やシリコン系の透明粘着材でも良い。
【００３０】
剥離紙３は、ポリエチレン系の樹脂で剥離面を被覆した紙であり、被覆中は粘着剤２の粘着力を無効にしている。
【００３１】
タクシー用ステッカーＡは、以下の様にして使用する。
（１）使用する直前に、合成紙１の表面１１から剥離紙３を剥離する。
（２）客が座る、タクシー４の後部座席４１のサイドガラス４２および三角ガラス４３の内側の下方と、リアガラス４４の内側の下方とに、合成紙１の表面１１を当接させて貼着する（図３参照）。
【００３２】
実施例１のタクシー用ステッカーＡは、以下の利点を有する。
【００３３】
タクシー待ちの客４０がタクシー４に乗る前にそのタクシー４の初乗運賃を容易に確認できる。また、タクシー４に乗った後は詳細な運賃表１４を客４０が確実に確認できる。  
【００３４】
なお、遮光性および可撓性を有する合成紙１の表面１１に初乗運賃１２を、白色の素地上に黒で印刷し、裏面１３に詳細な運賃表１４を、黄地に黒で印刷しているので、客４０の目につき易く、見落としが防止できる。
【００３５】
乗車前は、タクシー４の初乗運賃を容易に確認でき、且つタクシー４へ乗車後は、現在の料金体系や目的地までの料金の概算が分かるので便利である。
【００３６】
合成紙１が遮光性を有するので、反対側面に印刷してある文字が見えず見栄えが良い。
【実施例２】
【００３７】
つぎに、本発明の実施例２に係る店舗用ステッカーＢ（請求項１）を図４に基づいて説明する。
【００３８】
図４に示す如く、店舗用ステッカーＢは、合成紙５の表面５１に客呼び込み用案内情報５２が印刷され、裏面５３に店内客用の広告情報５４が印刷されている。
【００３９】
更に、合成紙５の表面５１に、粘着剤２を塗布形成し、その粘着面を剥離紙３で被覆している。なお、店内客用の広告情報５４を印刷後に裏面５３を透明樹脂（図示せず）でラミネートコーティングしている。
【００４０】
合成紙５は、ポリプロピレンを主成分とし、二軸延伸フィルム成形法により製造したものであり、成膜時に形成される多数のミクロボイドにより、光が乱反射して素地が白色（遮光性）に見える。なお、本実施例では、合成紙５は、重量が数グラム、厚みが０．２ｍｍ、縦が２０ｃｍ、横が２５ｃｍの大きさを呈する。
【００４１】
また、合成紙５の表面５１および裏面５３は、白色の素地である。
【００４２】
客呼び込み用案内情報５２および店内客用の広告情報５４は、本実施例では、下記の記述であり、白色の素地に、黒の活字で印刷されている｛図４の（ａ）、（ｂ）参照｝。
【００４３】
○×△  スーパー  ポイントシステム
１０００Ｐ→  日帰り温泉旅行
５０００Ｐ→  一泊二日旅行
１００００Ｐ→  電動自転車
−  会員募集中  −
１０月の定休日
６日、２０日、２７日
１０月の在庫一掃日
５日、１９日、２６日
○×△  スーパー
粘着剤２は、アクリル系の透明粘着材であり、客呼び込み用案内情報５２の印刷後に、合成紙５の表面５１にシルク印刷により塗布形成されている。なお、粘着剤２は、ゴム系やシリコン系の透明粘着剤でも良い。
【００４４】
剥離紙３は、ポリエチレン系の樹脂で剥離面を被覆した紙であり、被覆中は粘着剤２の粘着力を無効にしている。
【００４５】
店舗用ステッカーＢは、以下の様にして使用する。
（１）使用する直前に、合成紙５の表面５１から剥離紙３を剥離する。
（２）スーパーの出入口ドアの内側の、客の目の高さに、合成紙５の表面５１を当接させて貼着する。
【００４６】
実施例２の店舗用ステッカーＢは、以下の利点を有する。
【００４７】
客がスーパーに入る前には、店外にいる客を呼び込むための客呼び込み用案内情報５２が目に止まり、支払いを終えてスーパーを出る時には、定休日等を記載した店内客用の広告情報５４が容易に目に止まる。
【００４８】
このため、客がスーパーへ入る時は、このスーパーのお得なリピーター情報を容易に確認できる。
【００４９】
また、支払いを終えてスーパーを出る時には、定休日や在庫一掃日の日程が分かるので便利である。
【００５０】
なお、合成紙５が遮光性を有するので、反対側面に印刷してある文字が見えず見栄えが良い。
【実施例３】
【００５１】
つぎに、本発明の実施例３に係る自動車用ステッカーＣ（請求項３）を図５に基づいて説明する。
【００５２】
図５に示す如く、自動車用ステッカーＣは、合成紙６の表面６１に企業広告６２が印刷され、裏面６３に広告代金の支払いに関する条件６４が印刷されている。
【００５３】
更に、合成紙６の表面６１に、粘着剤２を塗布形成し、その粘着面を剥離紙３で被覆している。なお、条件６４を印刷後に裏面６３を透明樹脂（図示せず）でラミネートコーティングしている。
【００５４】
合成紙６は、ポリプロピレンを主成分とし、二軸延伸フィルム成形法により製造したものであり、成膜時に形成される多数のミクロボイドにより、光が乱反射して素地が白色（遮光性）に見える。なお、本実施例では、合成紙６は、重量が数グラム、厚みが０．２ｍｍ、縦が１１ｃｍ、横が２５ｃｍの大きさを呈する。
【００５５】
また、合成紙６の表面６１および裏面６３は、白色の素地である。
【００５６】
企業広告６２は、本実施例では、下記の記述であり、白色の素地にカラーで印刷されている｛図５の（ａ）参照｝。
【００５７】
０５２−１２３−４５６７
Ｓ印刷
親切・丁寧
また、広告代金の支払いに関する条件６４は、本実施例では、下記の記述であり、白色の素地に黒の活字で印刷されている｛図５の（ｂ）参照｝。
【００５８】
貼着期間  ２００３／１０〜２００４／４
支払広告代金  ￥６，０００
愛知県西春日井郡××××
０５２−１２３−４５６７
粘着剤２は、アクリル系の透明粘着材であり、企業広告６２の印刷後に、合成紙６の表面６１にシルク印刷により塗布形成されている。なお、粘着剤２は、ゴム系やシリコン系の透明粘着剤であっても良い。
【００５９】
剥離紙３は、ポリエチレン系の樹脂で剥離面を被覆した紙であり、被覆中は粘着剤２の粘着力を無効にしている。
【００６０】
自動車用ステッカーＣは、以下の様にして使用する。
（１）貼る直前に、合成紙６の表面６１から剥離紙３を剥離する。
（２）広告契約を行った契約者の自動車の窓ガラスの内側に、合成紙６の表面６１を当接させて貼着する。なお、貼着場所は、自動車の後部座席のサイドガラスの内側の下方や、リアガラスの内側の下方が好ましい。
【００６１】
実施例３の自動車用ステッカーＣは、以下の利点を有する。
【００６２】
契約者の自動車のサイドガラスの内側やリアガラスの内側に自動車用ステッカーＣを貼着しているので、他車や通行人に企業広告６２を見せることができるので動く広告塔となり、広告効果がある。
【００６３】
また、広告の広告代金の支払いに関する条件６４が、常に、その自動車に乗っている契約者の目にとまるので、広告代金の支払いに関する条件６４を周知徹底でき、契約者に広告貼着義務を確実に履行させることができる。
【００６４】
なお、合成紙６が遮光性を有するので、反対側面に印刷してある文字が見えず見栄えが良い。
【実施例４】
【００６５】
つぎに、本発明の実施例４に係る乗物用ステッカーＤ（請求項２）を図６に基づいて説明する。
【００６６】
図６に示す如く、乗物用ステッカーＤは、合成紙７の表面７１に企業広告７２が印刷され、裏面７３に別の企業広告７４が印刷されている。
【００６７】
更に、合成紙７の表面７１に、粘着剤２を塗布形成し、その粘着面を剥離紙３で被覆している。なお、企業広告７４を印刷後に裏面７３を透明樹脂（図示せず）でラミネートコーティングしている。
【００６８】
合成紙７は、ポリプロピレンを主成分とし、二軸延伸フィルム成形法により製造したものであり、成膜時に形成される多数のミクロボイドにより、光が乱反射して素地が白色（遮光性）に見える。なお、本実施例では、合成紙７は、重量が数グラム、厚みが０．２ｍｍ、縦が１５ｃｍ、横が３０ｃｍの大きさを呈する。
【００６９】
また、合成紙７の表面７１および裏面７３は、白色に塗色されている。
【００７０】
企業情報７２は、本実施例では、下記の記述であり、白色の素地にカラーで印刷されている｛図６の（ａ）参照｝。
【００７１】
○×ガソリンスタンド
また、別の企業情報７４は、本実施例では、下記の記述であり、白色の素地にカラーで印刷されている｛図６の（ｂ）参照｝。
【００７２】
０５２−１２３−４５６７
Ｓ印刷
親切・丁寧
粘着剤２は、アクリル系の透明粘着材であり、企業情報７２の印刷後に、合成紙７の表面７１に塗布形成されている。なお、粘着剤２は、ゴム系やシリコン系の透明粘着剤でも良い。
【００７３】
剥離紙３は、ポリエチレン系の樹脂で剥離面を被覆した紙であり、被覆中は粘着剤２の粘着力を無効にしている。
【００７４】
乗物用ステッカーＤは、以下の様にして使用する。
（１）貼る直前に、合成紙７の表面７１から剥離紙３を剥離する。
（２）バス、地下鉄、私鉄、モノレール、無人式電車等の乗物のガラス窓の内側に、合成紙７の表面７１を当接させて貼着する。なお、貼着場所は、乗り降りに差し支えないガラス窓とする。
【００７５】
実施例４の乗物用ステッカーＤは、以下の利点を有する。
【００７６】
乗物の内側に乗物用ステッカーＤを貼着すると、乗物の外にいる人からは企業広告７２が見え、乗物に乗っている人からは別の企業広告７４が見える。
【００７７】
つまり、一つのスペースに二件の広告を掲示できるので広告の貼着効率が高い。また、合成紙７が遮光性を有する紙であるので、反対側面に印刷してある企業広告が見えないので見栄えが良い。
【図面の簡単な説明】
【００７８】
【図１】（ａ）は本考案の実施例１に係るタクシー用ステッカーの表面の印刷状態を示す説明図であり（ｂ）はそのステッカーの裏面の印刷状態を示す説明図である。
【図２】そのタクシー用ステッカーの断面図である。
【図３】そのタクシー用ステッカーを、タクシーの後部座席のサイドガラスの内側、三角ガラスの内側およびリアガラスの内側に貼着した状態を示す説明図である。
【図４】（ａ）は本考案の実施例２に係る店舗用ステッカーの表面の印刷状態を示す説明図であり（ｂ）はそのステッカーの裏面の印刷状態を示す説明図であり、（ｃ）はそのステッカーの断面図である。
【図５】（ａ）は本考案の実施例３に係る自動車用ステッカーの表面の印刷状態を示す説明図であり（ｂ）はそのステッカーの裏面の印刷状態を示す説明図であり、（ｃ）はそのステッカーの断面図である。
【図６】（ａ）は本考案の実施例４に係る乗物用ステッカーの表面の印刷状態を示す説明図であり（ｂ）はそのステッカーの裏面の印刷状態を示す説明図であり、（ｃ）はそのステッカーの断面図である。
【符号の説明】
【００７９】
Ａ  タクシー用ステッカー
Ｂ  店舗用ステッカー
Ｃ  自動車用ステッカー
Ｄ  乗物用ステッカー
１、５、６、７  合成紙（シート）
２  粘着剤
３  剥離紙
１１、５１、６１、７１  表面
１２  初乗運賃
１４  運賃表
１３、５３、６３、７３  裏面
４２  サイドガラス（側面ガラス）
４３  三角ガラス（側面ガラス）
４４  リアガラス（背面ガラス）
５２  客呼び込み用案内情報
５４  店内客用の広告情報
６２、７２  企業広告
６４  広告代金の支払いに関する条件
７４  別の企業広告
【図１】
0003101346.tif 000003
【図２】
0003101346.tif 000004
【図３】
0003101346.tif 000005
【図４】
0003101346.tif 000006
【図５】
0003101346.tif 000007
【図６】
0003101346.tif 000008